(57)【要約】【課題】  別途道具を用いることなく、また、チューブの種類に選らず、チューブ抜けを抑制することができ、また、保存された薬剤の誤使用を抑制することのできる接続ノズル、それを備えたスパウトおよび薬剤容器を提供すること。【解決手段】  接続ノズル６において、一端から他端へ貫通するノズル貫通孔３２を有し、チューブの内腔に挿入される円筒状のノズル２８を設ける。ノズル２８には、その側面に径方向外側に膨らむ少なくとも１つの膨出部３３を形成する。そして、膨出部３３には、ノズル２８の軸方向に切れ込まれた切込部３６を複数形成し、これにより、膨出部３３を外力により縮径可能とする。【選択図】図１
2010046190.tif 000002
【特許請求の範囲】
【請求項１】
一端から他端へ貫通する貫通孔を有し、チューブの内腔に挿入される円筒状のノズルを備え、
前記ノズルは、その側面に径方向外側に膨らむ少なくとも１つの膨出部を有し、
前記膨出部は、前記ノズルの軸方向に切れ込まれた切込部を複数有し、かつ外力により縮径可能であることを特徴とする、接続ノズル。
【請求項２】
ＪＩＳ  Ｋ７１７１に準拠して測定される曲げ弾性率が１０００〜２００００ｋｇｆ／ｃｍ２のプラスチックを用いて成形され、その厚さが０．５〜２．０ｍｍであることを特徴とする、請求項１に記載の接続ノズル。
【請求項３】
互いに隣接する前記切込部の間隔が０．５〜２．０ｍｍであることを特徴とする、請求項１または２に記載の接続ノズル。
【請求項４】
前記膨出部は、前記ノズルの全周にわたって形成されていることを特徴とする、請求項１〜３のいずれかに記載の接続ノズル。
【請求項５】
前記膨出部は、前記ノズルの一端から前記ノズルの軸方向中央までの一端側に形成されていることを特徴とする、請求項１〜４のいずれかに記載の接続ノズル。
【請求項６】
前記切込部は、前記ノズルの一端から切れ込まれることにより形成されていることを特徴とする、請求項１〜５のいずれかに記載の接続ノズル。
【請求項７】
容器に取り付け、容器の内容物を注出するためのスパウトであって、
一端と他端とを連通させるための連通孔を有し、他端側が容器に取り付けられるベース部材と、
前記連通孔の他端側を閉塞して容器を封止するための封止部材と、
請求項１〜６のいずれかに記載の接続ノズルとを備え、
前記接続ノズルは、前記ノズルの他端に前記貫通孔と連通可能に接続された中空の穿刺針を有し、前記穿刺針が前記連通孔の他端側へ向かう方向へ摺動自在に保持された状態で、前記ベース部材の一端側において支持されていることを特徴とする、スパウト。
【請求項８】
前記穿刺針の外周面には、その周方向外側に突出する突起が形成されており、
前記接続ノズルは、前記ベース部材の一端側に設けられ、前記突起を嵌合させるための嵌合孔を有する筒状の支持部により支持されており、
前記支持部には、前記嵌合孔から前記ベース部材の他端側へ向かってその軸方向に延び、前記突起をスライド可能とさせることにより前記穿刺針の摺動動作を保持する溝が形成されていることを特徴とする、請求項７に記載のスパウト。
【請求項９】
前記接続ノズルには、前記ノズルの周方向に回転させることにより、前記接続ノズルに係合される回転固定式チューブを係合するための係合部材が設けられていることを特徴とする、請求項８に記載のスパウト。
【請求項１０】
液状の薬剤が封入された容器本体と、
一端と他端とを連通させるための連通孔を有し、他端側が容器に取り付けられるベース部材と、
前記連通孔の他端側を閉塞して容器を封止するための封止部材と、
請求項１〜６のいずれかに記載の接続ノズルとを備え、
前記接続ノズルは、前記ノズルの他端に前記貫通孔と連通可能に接続された中空の穿刺針を有し、前記穿刺針が前記連通孔の他端側へ向かう方向へ摺動自在に保持された状態で、前記ベース部材の一端側において支持されていることを特徴とする、薬剤容器。
【請求項１１】
前記穿刺針の外周面には、その周方向外側に突出する突起が形成されており、
前記接続ノズルは、前記ベース部材の一端側に設けられ、前記突起を嵌合させるための嵌合孔を有する筒状の支持部により支持されており、
前記支持部には、前記嵌合孔から前記ベース部材の他端側へ向かってその軸方向に延び、前記突起をスライド可能とさせることにより前記穿刺針の摺動動作を保持する溝が形成されていることを特徴とする、請求項１０に記載の薬剤容器。
【請求項１２】
前記接続ノズルには、前記ノズルの周方向に回転させることにより、前記接続ノズルに係合される回転固定式チューブを係合するための係合部材が設けられていることを特徴とする、請求項１１に記載の薬剤容器。
【発明の詳細な説明】
【技術分野】
【０００１】
本発明は、経腸栄養剤などの薬剤が保存された容器とその薬剤を投与するためのチューブとを接続するための接続ノズル、その接続ノズルを備えるスパウトおよびその接続ノズルを備える薬剤容器に関する。
【背景技術】
【０００２】
従来、経腸栄養剤などの液状の薬剤は、パウチなどの容器に保存されている。このような容器には、注出口にノズルが備えられていて、ノズルに薬剤を人体などへ投与するためのチューブが接続される。そして、ノズルには、ノズルからのチューブの抜けを抑制するための加工が施されており、その加工技術が種々提案されている。
たとえば、フィルムのヒートシールにより形成されたパウチの内外を連通させる充填口を有する基部に螺合されるノズルが提案されている。このノズルは、基部側から先端部に向かってテーパ状に形成されており、その外面に円環状のリブが軸方向に繰り返し形成されることにより、凹凸加工されている（たとえば、特許文献１参照。）。
【特許文献１】特開２００６−６１５５４号公報
【発明の開示】
【発明が解決しようとする課題】
【０００３】
特許文献１に記載のノズルでは、凹凸面（外面）の形状に応じて変形するチューブの引っ掛かりにより、チューブ抜けの抑制が図られている。
しかし、凹凸面の形状に応じて変形しにくい硬いチューブなど、チューブの種類に選っては、チューブ抜けの抑制効果を得ることが困難な場合がある。
その一方で、たとえば、クリップなどでチューブを挟み込むことにより、ノズルに対するチューブの密着力を高める手法が検討される。しかし、ノズルへのチューブの挿入は、在宅療養する高齢介護者などが自分自身で行なう場合がある。そのため、チューブ抜けは、クリップなどの道具を使うことなく、なるべく簡単に防止できることが好ましい。
【０００４】
さらに、容器に保存された薬剤の種類は、一見して把握することが困難であるため、たとえば、経腸栄養剤の保存された容器のノズルに、輸液用の穿刺針を誤って刺してしまい、薬剤を誤使用するおそれがある。
本発明の主たる目的は、別途道具を用いることなく、また、チューブの種類に選らず、チューブ抜けを抑制することのできる接続ノズル、それを備えたスパウトおよび薬剤容器を提供することにある。
【０００５】
また、本発明の別の目的は、容器に保存された薬剤の誤使用を抑制することのできる接続ノズル、それを備えたスパウトおよび薬剤容器を提供することにある。
【課題を解決するための手段】
【０００６】
請求項１に記載の発明は、一端から他端へ貫通する貫通孔を有し、チューブの内腔に挿入される円筒状のノズルを備え、前記ノズルは、その側面に径方向外側に膨らむ少なくとも１つの膨出部を有し、前記膨出部は、前記ノズルの軸方向に切れ込まれた切込部を複数有し、かつ外力により縮径可能であることを特徴とする、接続ノズルである。
請求項２に記載の発明は、ＪＩＳ  Ｋ７１７１に準拠して測定される曲げ弾性率が１０００〜２００００ｋｇｆ／ｃｍ２のプラスチックを用いて成形され、その厚さが０．５〜２．０ｍｍであることを特徴とする、請求項１に記載の接続ノズルである。
【０００７】
請求項３に記載の発明は、互いに隣接する前記切込部の間隔が０．５〜２．０ｍｍであることを特徴とする、請求項１または２に記載の接続ノズルである。
請求項４に記載の発明は、前記膨出部は、前記ノズルの全周にわたって形成されていることを特徴とする、請求項１〜３のいずれかに記載の接続ノズルである。
請求項５に記載の発明は、前記膨出部は、前記ノズルの一端から前記ノズルの軸方向中央までの一端側に形成されていることを特徴とする、請求項１〜４のいずれかに記載の接続ノズルである。
【０００８】
請求項６に記載の発明は、前記切込部は、前記ノズルの一端から切れ込まれることにより形成されていることを特徴とする、請求項１〜５のいずれかに記載の接続ノズルである。
請求項７に記載の発明は、容器に取り付け、容器の内容物を注出するためのスパウトであって、一端と他端とを連通させるための連通孔を有し、他端側が容器に取り付けられるベース部材と、前記連通孔の他端側を閉塞して容器を封止するための封止部材と、請求項１〜６のいずれかに記載の接続ノズルとを備え、前記接続ノズルは、前記ノズルの他端に前記貫通孔と連通可能に接続された中空の穿刺針を有し、前記穿刺針が前記連通孔の他端側へ向かう方向へ摺動自在に保持された状態で、前記ベース部材の一端側において支持されていることを特徴とする、スパウトである。
【０００９】
請求項８に記載の発明は、前記穿刺針の外周面には、その周方向外側に突出する突起が形成されており、前記接続ノズルは、前記ベース部材の一端側に設けられ、前記突起を嵌合させるための嵌合孔を有する筒状の支持部により支持されており、前記支持部には、前記嵌合孔から前記ベース部材の他端側へ向かってその軸方向に延び、前記突起をスライド可能とさせることにより前記穿刺針の摺動動作を保持する溝が形成されていることを特徴とする、請求項７に記載のスパウトである。
【００１０】
請求項９に記載の発明は、前記接続ノズルには、前記ノズルの周方向に回転させることにより、前記接続ノズルに係合される回転固定式チューブを係合するための係合部材が設けられていることを特徴とする、請求項８に記載のスパウトである。
請求項１０に記載の発明は、液状の薬剤が封入された容器本体と、一端と他端とを連通させるための連通孔を有し、他端側が容器に取り付けられるベース部材と、前記連通孔の他端側を閉塞して容器を封止するための封止部材と、請求項１〜６のいずれかに記載の接続ノズルとを備え、前記接続ノズルは、前記ノズルの他端に前記貫通孔と連通可能に接続された中空の穿刺針を有し、前記穿刺針が前記連通孔の他端側へ向かう方向へ摺動自在に保持された状態で、前記ベース部材の一端側において支持されていることを特徴とする、薬剤容器である。
【００１１】
請求項１１に記載の発明は、前記穿刺針の外周面には、その周方向外側に突出する突起が形成されており、前記接続ノズルは、前記ベース部材の一端側に設けられ、前記突起を嵌合させるための嵌合孔を有する筒状の支持部により支持されており、前記支持部には、前記嵌合孔から前記ベース部材の他端側へ向かってその軸方向に延び、前記突起をスライド可能とさせることにより前記穿刺針の摺動動作を保持する溝が形成されていることを特徴とする、請求項１０に記載の薬剤容器である。
【００１２】
請求項１２に記載の発明は、前記接続ノズルには、前記ノズルの周方向に回転させることにより、前記接続ノズルに係合される回転固定式チューブを係合するための係合部材が設けられていることを特徴とする、請求項１１に記載の薬剤容器である。
【発明の効果】
【００１３】
請求項１に記載の発明によれば、ノズルに膨出部が形成され、その膨出部に複数の切込部が形成されているので、膨出部は、その径方向内側へ加えられる外力により自在に縮径される。
そのため、膨出部を径方向内側に縮径させながらチューブへノズルを挿入し、挿入後、膨出部を径方向外側へ復元させることにより、その復元力（径方向外側へ生じる力）によりチューブを内腔から押圧することができる。つまり、膨出部の復元力により、チューブの抜ける方向（ノズルの軸方向）に対してほぼ直交する方向に力を与えることができる。
【００１４】
したがって、ノズルの外径をチューブの内径に応じて適当な大きさに設計することにより、別途道具を用いることなく、また、チューブの種類（たとえば、変形しにくい硬いチューブなど）に選らず、ノズルからのチューブ抜けを抑制することができる。
また、膨出部に切込部が形成されているので、たとえば、経腸栄養剤などの薬剤が収容された容器に接続ノズルが取り付けられている場合に、誤って輸液用穿刺針がノズルに挿入されても、経腸栄養剤を切込部から漏れ出させることができる。その結果、薬剤の取扱者に、薬剤の誤使用を気づかせることができる。
【００１５】
請求項２に記載の発明によれば、接続ノズルが、１０００〜２００００ｋｇｆ／ｃｍ２の曲げ弾性率で有するプラスチックを用いて成形され、かつ、その厚さが０．５〜２．０ｍｍであるので、膨出部の縮径を可能としながら、膨出部の強度を十分確保することができる。
請求項３に記載の発明によれば、互いに隣接する切込部の間隔が０．５〜２．０ｍｍであるので、膨出部の強度を低下させることなく、接続ノズルの成形性を向上させることができる。また、膨出部を容易に縮径することができる。
【００１６】
請求項４に記載の発明によれば、チューブの内腔全周からチューブに対して膨出部の復元力を与えることができるので、チューブ抜けの抑制効果をより一層向上させることができる。
請求項５に記載の発明によれば、膨出部が、ノズルの一端からノズルの軸方向中央までの一端側に形成されているので、ノズルに対するチューブの挿入量が浅くても、膨出部をチューブに挿入でき、チューブ抜けの抑制効果を実現することができる。
【００１７】
請求項６に記載の発明によれば、切込部がノズルの一端から切れ込まれることにより形成されているので、ノズルの一端部を簓状にすることができる。そのため、接続ノズルを射出成形する場合、成形後に接続ノズル（成形品）射出用金型から抜き易くすることができる。
請求項７に記載の発明によれば、請求項１〜６のいずれかに記載の接続ノズルが備えられているので、ノズルの外径をチューブの内径に応じて適当な大きさに設計することにより、別途道具を用いることなく、また、チューブの種類に選らず、ノズルからのチューブ抜けを抑制することができる。また、薬剤の取扱者に、薬剤の誤使用を気づかせることができる。
【００１８】
また、ベース部材の連通孔の他端側を閉塞して容器を封止する封止部材が備えられ、ベース部材の連通孔には、穿刺針が他端側へ向かう方向へ摺動自在に保持されている。そのため、穿刺針の摺動により封止部材を刺通するまでは、容器の密封性を維持することができる。一方、容器を開封したいときには、穿刺針を摺動させて封止部材を刺通することにより、容器を簡単に開封することができる。
【００１９】
請求項８に記載の発明によれば、接続ノズルは、穿刺針に形成された突起が支持部の嵌合孔に嵌合されることにより、支持部により支持される。つまり、容器の封止状態において、穿刺針の突起が嵌合孔に嵌合されているので、チューブをノズルに挿入するときに穿刺針が回転するのを防止することができる。
また、容器を開封したいときには、突起を溝に沿ってスライドさせて穿刺針を摺動させることにより、容器を簡単に開封することができる。
【００２０】
その結果、容器の開封性を向上できるとともに、チューブの挿入性を向上させることができる。
請求項９に記載の発明によれば、チューブの挿入時における穿刺針の回転を防止することができ、さらに、係合部材が設けられているので、回転固定式チューブを簡単に接続することができる。
【００２１】
請求項１０に記載の発明によれば、請求項１〜６のいずれかに記載の接続ノズルが備えられているので、ノズルの外径をチューブの内径に応じて適当な大きさに設計することにより、別途道具を用いることなく、また、チューブの種類に選らず、ノズルからのチューブ抜けを抑制することができる。また、薬剤の取扱者に、薬剤の誤使用を気づかせることができる。
【００２２】
また、ベース部材の連通孔の他端側を閉塞して容器を封止する封止部材が備えられ、ベース部材の連通孔には、穿刺針が他端側へ向かう方向へ摺動自在に保持されている。そのため、穿刺針の摺動により封止部材を刺通するまでは、容器の密封性を維持することができる。一方、容器を開封したいときには、穿刺針を摺動させて封止部材を刺通することにより、容器を簡単に開封することができる。
【００２３】
請求項１１に記載の発明によれば、接続ノズルは、穿刺針に形成された突起が支持部の嵌合孔に嵌合されることにより、支持部により支持される。つまり、容器の封止時に、穿刺針の突起が嵌合孔に嵌合されているので、チューブをノズルに挿入するときに穿刺針が回転するのを防止することができる。
また、容器を開封したいときには、突起を溝に沿ってスライドさせて穿刺針を摺動させることにより、容器を簡単に開封することができる。
【００２４】
その結果、容器の開封性を向上できるとともに、チューブの挿入性を向上させることができる。
請求項１２に記載の発明によれば、チューブの挿入時における穿刺針の回転を防止することができ、さらに、係合部材が設けられているので、回転固定式チューブを簡単に接続することができる。
【発明を実施するための最良の形態】
【００２５】
以下では、本発明の実施の形態を、添付図面を参照して詳細に説明する。
＜第１の実施形態＞
（接続ノズル、スパウトおよび薬剤容器の構成）
図１は、本発明の第１の実施形態に係る接続ノズルを備える薬剤容器の要部を示す（ａ）斜視図（ｂ）断面図（図１（ａ）のｂ−ｂで示される切断線で切断したときの断面図）である。
【００２６】
薬剤容器１は、チューブを介して投与される薬剤の容器であって、薬剤を収容するための容器本体としてのパウチ２と、パウチ２内の薬剤を注出するためのスパウト３とを備えている。
パウチ２は、たとえば、ポリエチレンなどのプラスチックフィルム、アルミニウム箔などの金属箔が積層された多層フィルムがヒートシールにより袋状に形成されてなる。パウチ２の中には、たとえば、経腸栄養剤などの薬剤が収容される。
【００２７】
スパウト３は、パウチ２に取り付けられてパウチ２の注出口となるベース部材４と、ベース部材４からの流出を遮断してパウチ２を封止するための封止部材５と、ベース部材４に連通していて、チューブが接続される（チューブが外嵌めされる）接続ノズルと６と、接続ノズル６を保護するためのカバー７とを備えている。
ベース部材４は、たとえば、ポリプロピレン、ポリエチレンなどのプラスチックからなり、パウチ２に固定されるひし形筒状の固定部８と、固定部８の軸方向一端を閉塞する上壁９およびその上壁９から固定部８の周方向外側へ張り出す第１フランジ１０を一体的に有するフランジ部１１と、上壁９から突出し、接続ノズル６を支持するための筒状の支持部１２とを一体的に備えている。
【００２８】
ベース部材４において、パウチ２に固定される他端側の固定部８の内部１３と、接続ノズル６を支持する一端側の支持部１２の内部１４とは、フランジ部１１の中心部に形成された開口１５を介して連通し、ベース部材４の一端（支持部１２の一端）と他端（固定部８の他端）とを連通させる第１連通孔１６をなしている。
固定部８の外周面１７には、固定部８の短対角線方向に対向する１対の面それぞれに、外周面１７の周方向に沿ってリブ１８が形成されている。そして、リブ１８が固定部８の軸方向に複数形成されることにより、外周面１７は、面の波打つ凹凸面に形成されている。外周面１７が凹凸面に形成されていることにより、パウチ２を固定部８に密着させたときに、パウチ２を外周面１７に引っ掛けることができるので、パウチ２からのベース部材４の抜けを抑制することができる。
【００２９】
フランジ部１１には、その長対角線方向（長手方向）における両端部に、ベース部材４にカバー７を固定するための１対のカバーストッパ１９が形成されている。
各カバーストッパ１９は、第１フランジ１０から立ち上がり、先端が第１フランジ１０の内側へ延びる鉤形の鉤壁２０と、第１フランジ１０の周方向において鉤壁２０の一方側に立設された立壁２１とを一体的に備え、上壁９の中心を対称点として互いに点対称の関係になっている。
【００３０】
カバー７は、たとえば、透明のプラスチックからなり、一端の閉塞された円筒状に形成されている。カバー７の他端には、径方向外側へ張り出す１対の係合爪２２が形成されている。そして、カバー７は、その他端を第１フランジ１０に当接させた状態で時計回りに回転されることにより、係合爪２２がカバーストッパ１９で係止されて、ベース部材４に固定される。
【００３１】
支持部１２には、支持部１２の周壁を軸方向に切断する１対の直線溝２３が形成されている。
直線溝２３には、軸方向一端部および他端部において、その径が直線溝２３の幅よりもやや大きい径を有する円形の孔がそれぞれ形成されている。各孔は、パウチ２の封止状態において、後述する穿刺針２９の突起３８が嵌合される第１嵌合孔２４と、パウチ２の開封状態において、後述する穿刺針２９の突起３８が嵌合される第２嵌合孔２５とに区別される。
【００３２】
封止部材５は、たとえば、プラスチック材料、ゴム材料などからなり、固定部８の内部１３とほぼ同じ大きさのひし形筒状に形成されている。
封止部材５には、その軸方向一端における対角線の交点（中心部）から他端へと直線的に貫通する貫通孔２６が形成されている。貫通孔２６は、封止部材５と一体的に形成される閉塞板２７により閉塞されている。
【００３３】
接続ノズル６は、チューブの内腔に挿入される筒状のノズル２８と、封止部材５の閉塞板２７に突き刺される穿刺針２９とを備えている。
ノズル２８は、軸方向他端から一端に向かって、一定の外径を有する円筒部３０と、外径の窄まるテーパ部３１とを一体的に備え、これらを貫通するノズル貫通孔３２を有している。
【００３４】
テーパ部３１には、その周壁が径方向外側へ外周全周にわたって帯状に膨らむ膨出部３３が形成されている。
膨出部３３は、テーパ部３１の一端からテーパ部３１の軸方向中央までの一端側において、その外周面が弧状に膨らむように形成されている。弧状の膨出部３３の膨出度合は、好ましくは、膨出部３３における最大膨出位置（弧の頂点位置）における外径Ｄ１が、当該位置におけるノズル２８の外径Ｄ２の１１０〜１３０％である。
【００３５】
なお、当該位置におけるノズル２８の外径Ｄ２とは、膨出部３３の最大膨出位置の位置するノズル２８の径方向における平面３４（図１（ｂ）に一点鎖線で示される部分）と、テーパ部３１をそのテーパ比でノズル２８の一端に向かって延長したときの外周面３５（図１（ｂ）に破線で示される部分）との交線の外径のことをいう。
そして、膨出部３３の最大膨出位置における外周面３５からの具体的な膨出厚としては、ノズル２８に接続されるチューブの内径により設計され、たとえば、２．０〜５．０ｍｍである。
【００３６】
また、膨出部３３には、テーパ部３１の一端から膨出部３３の軸方向他端まで切れ込まれた長方形状の複数（６つ）の切込部３６が形成されている。
各切込部３６の幅Ｗ２は、好ましくは、０．１〜２．０ｍｍである。また、各切込部３６は、膨出部３３の全周にわたって均等な間隔を空けて配置されている。
そして、膨出部３３は、切込部３６が均等な間隔を空けて配置されることにより、複数の部分に分割され、その各部分の幅Ｗ１（つまり、隣接する切込部３６間の間隔）は、好ましくは、０．５〜２．０ｍｍである。
【００３７】
穿刺針２９は、ベース部材４の支持部１２の内径とほぼ同じ外径を有し、軸方向他端部が尖る中空の尖鋭円筒状に形成されている。また、穿刺針２９は、ノズル貫通孔３２に連通し、ノズル貫通孔３２の径よりも小さい径の第２連通孔３７（中空部分）を有している。
穿刺針２９の外周面には、その周方向外側に突出する突起３８が形成されている。
【００３８】
突起３８は、穿刺針２９の径方向に対向して１対設けられており、各突起３８は、支持部１２の第１嵌合孔２４および第２嵌合孔２５に嵌合可能な円柱状に形成されている。
また、接続ノズル６において、ノズル２８と穿刺針２９との接続部（ノズル２８の他端）には、ノズル２８の径方向外側へ張り出す第２フランジ３９が形成されている。
第２フランジ３９は、ノズル２８の外周（円筒部３０の外周）よりも大きい外周を有する相似形の円形板状に形成されている。また、第２フランジ３９には、その周方向外側に突出する係合爪４０が形成されている。
【００３９】
係合爪４０は、後述する回転固定式チューブ４５を係合するためのものであって、第２フランジ３９の径方向に対向して１対設けられており、各係合爪４０は、たとえば、長方形状に形成されている。
そして、上記のような構成の接続ノズル６は、好ましくは、ＪＩＳ  Ｋ７１７１に準拠して測定される曲げ弾性率が１０００〜２００００ｋｇｆ／ｃｍ２のプラスチックを用いて、たとえば、射出成形など公知の成形技術により成形される。
【００４０】
上記のような特性を有するプラスチックとしては、好ましくは、ポリエチレン、ポリプロピレンなどのポリオレフィンを用いることができ、さらに好ましくは、プロピレンとオレフィン系炭化水素とのランダムコポリマーを用いることができる。このようなポリマーであれば、接続ノズル６の耐熱性を向上させることができる。
また、上記プラスチックにより成形される接続ノズル６の厚さは、好ましくは、０．５〜２．０ｍｍである。
【００４１】
そして、スパウト３を組立てるには、たとえば、まず、ベース部材４の固定部８の内部１３に封止部材５が嵌め込まれることにより、ベース部材４の第１連通孔１６が、封止部材５の閉塞板２７により閉塞される。
次に、ベース部材４の支持部１２に接続ノズル６の穿刺針２９が挿入され、穿刺針２９の突起３８が第１嵌合孔２４に嵌合される。これにより、接続ノズル６は、穿刺針２９が第１連通孔１６の他端側へ直線溝２３に沿って摺動自在に保持された状態で、支持部１２に支持されてベース部材４に接続される。なお、突起３８が第１嵌合孔２４に嵌合された状態においては、穿刺針２９の尖端が閉塞板２７よりもベース部材４の一端側に位置しているため、閉塞板２７による貫通孔２６の閉塞が保持されている。
【００４２】
そして、上記のように組み立てられるスパウト３は、パウチ２の作製時に、ベース部材４の固定部８が多層フィルムにより挟まれた状態でヒートシールされることにより、多層フィルムに密着してパウチ２に固定される。これにより、薬剤の収容されたパウチ２の注出口は、封止部材５の閉塞板２７により封止された状態となる。
（スパウトの使用方法）
図２は、図１に示すスパウトの使用方法を説明するための図である。
【００４３】
封止されたパウチ２内の薬剤をスパウト３から注出し、チューブを介して人体に投与するには、まず、接続ノズル６にチューブ４１が取り付けられる。具体的には、チューブ４１の一端が親指４２および人差し指４３で挟まれ、その内腔に膨出部３３の一端（ノズル２８の一端）が挿される。
そして、その状態から、図２（ａ）に示すように、膨出部３３がチューブ４１越しに親指４２および人差し指４３で径方向内側に押圧されて縮径されながら、チューブ４１がノズル２８の他端側へ嵌め込まれる。
【００４４】
嵌め込み後、親指４２および人差し指４３が、チューブ４１から離される。これにより、膨出部３３が径方向外側へ復元し、その復元力（径方向外側へ生じる力）によりチューブ４１の内壁が押圧されて、チューブ４１が接続ノズル６に接続される。
次いで、たとえば、パウチ２が高い位置に吊るされる。そして、その状態から、図２（ｂ）に示すように、接続ノズル６がベース部材４側に押し込まれる。これにより、第１嵌合孔２４に対する突起３８の嵌合が解除され、突起３８が直線溝２３をスライドすることにより穿刺針２９が第１連通孔１６内を摺動する。
【００４５】
そして、図２（ｃ）に示すように、突起３８が第２嵌合孔２５に嵌合したときに、接続ノズル６に対する押し込みが止められる。穿刺針２９の摺動により、封止部材５の閉塞板２７が穿刺針２９の尖端により刺通されて、パウチ２内と穿刺針２９の第２連通孔３７とが連通する。
したがって、パウチ２内の薬剤が、その自重により、第２連通孔３７およびそれに連通するノズル貫通孔３２を通ってチューブ４１に注出される。
【００４６】
なお、薬剤の投与後、接続ノズル６からチューブ４１を取り外すには、チューブ４１越しに膨出部３３を押圧して縮径させながら、チューブ４１を引き抜けばよい。
（作用効果）
この第１の実施形態によれば、ノズル２８に膨出部３３が形成され、その膨出部３３に複数の切込部３６が形成されているので、膨出部３３は、その径方向内側へ加えられる外力により自在に縮径される。
【００４７】
そのため、膨出部３３を径方向内側に押圧して縮径させながらチューブ４１をノズル２８に嵌め込み、嵌め込み後、膨出部３３を径方向外側へ復元させることにより、その復元力（径方向外側へ生じる力）によりチューブ４１の内壁を押圧することができる。つまり、膨出部３３の復元力により、チューブ４１の抜ける方向（ノズル２８の軸方向）に対してほぼ直交する方向に力を与えることができる。なお、チューブが硬い場合には、そのチューブは、手指ではなく、チューブの内壁（内径）によって膨出部３３が縮径されて嵌め込まれる。この場合にも、膨出部３３の復元力により、チューブの内壁が押圧される。
【００４８】
したがって、ノズル２８の外径をチューブの内径に応じて適当な大きさに設計することにより、別途道具を用いることなく、また、チューブの種類（たとえば、変形しにくい硬いチューブなど）に選らず、チューブ抜けを抑制することができる。
また、膨出部３３における最大膨出位置（弧の頂点位置）における外径Ｄ１が、当該位置におけるノズル２８の外径Ｄ２の１１０〜１３０％である。つまり、チューブの内径に応じて設計されるノズル２８の外径に対して１１０〜１３０％であるので、膨出部３３をチューブの挿入可能な外径まで、容易に縮径することができる。その結果、チューブ抜けの抑制効果を十分に発揮できながら、チューブの接続性を向上させることができる。
【００４９】
また、複数の膨出部３３の各部分の幅Ｗ１（つまり、隣接する切込部３６間の間隔）が、０．５〜２．０ｍｍであるので、膨出部３３の強度を低下させることなく、接続ノズル６の成形性を向上させることができる。また、膨出部３３を容易に縮径することができる。
また、膨出部３３が、テーパ部３１の周壁が径方向外側へ外周全周にわたって帯状に膨らむことにより形成されている。そのため、チューブ４１の内壁全周にわたって膨出部３３の復元力を与えることができるので、チューブ抜けの抑制効果をより一層向上させることができる。
【００５０】
また、膨出部３３が、テーパ部３１の一端からテーパ部３１の軸方向中央までの一端側に形成されているので、ノズル２８に対するチューブ４１の挿入量が浅くても、膨出部３３をチューブ４１に挿入でき、チューブ抜けの抑制効果を実現することができる。
また、切込部３６が、テーパ部３１の一端から切れ込まれることにより形成されているので、ノズル２８の一端部を簓状にすることができる。そのため、接続ノズル６を射出成形する場合、成形後に接続ノズル６（成形品）射出用金型から抜き易くすることができる。
【００５１】
また、接続ノズル６が、１０００〜２００００ｋｇｆ／ｃｍ２の曲げ弾性率で有するプラスチックを用いて成形され、かつ、その厚さが０．５〜２．０ｍｍであるので、膨出部３３の縮径を可能としながら、膨出部３３の強度を十分確保することができる。
また、スパウト３において、ベース部材４に閉塞板２７を有する封止部材５が嵌合されるので、接続ノズル６にチューブ４１を接続し、穿刺針２９により閉塞板２７を刺通するまでは、パウチ２の密封性を維持することができる。一方、パウチ２を開封したいときには、穿刺針２９を摺動させて閉塞板２７を刺通することにより、パウチ２を簡単に開封することができる。
【００５２】
また、パウチ２の封止状態において、穿刺針２９の突起３８が第１嵌合孔２４に嵌合されているので、チューブ４１を嵌め込むときに穿刺針２９が回転するのを防止することができる。その結果、チューブ４１の挿入性を向上させることができる。
また、膨出部３３に切込部３６が形成されているので、たとえば、パウチ２に経腸栄養剤などが収容されている場合に、図３に示すように、誤って輸液用穿刺針４４がノズル２８のノズル貫通孔３２に刺されても（挿入されても）、ノズル貫通孔３２を通る経腸栄養剤を切込部３６から漏れ出させることができる。その結果、薬剤容器１の取扱者に、薬剤の誤使用を気づかせることができる。
【００５３】
さらに、接続ノズル６に第２フランジ３９および係合爪４０が設けられているので、接続ノズル６には、図４に示すように、スパウト３に回転固定式チューブ４５を接続することができる。
図４において、回転固定式チューブ４５は、ノズル２８が挿入されるアダプタ用チューブ４６と、アダプタ用チューブ４６の一端に設けられた筒状のアダプタ４７とを備えている。
【００５４】
アダプタ４７の一端には、一端から周方向外側に張り出し、接続ノズル６の第２フランジ３９とほぼ同じ外径のアダプタ用フランジ４８が形成されている。アダプタ用フランジ４８には、その周方向外側に突出し、第２フランジ３９の係合爪４０に対応するアダプタストッパ４９が形成されている。
回転固定式チューブ４５は、アダプタ用チューブ４６がノズル２８に嵌め込まれるとともに、アダプタ４７が回転されてアダプタストッパ４９が係合爪４０で係止されることにより、接続ノズル６に接続される。
【００５５】
そして、上記したように、穿刺針２９の突起３８が第１嵌合孔２４に嵌合されているので、回転固定式チューブ４５を接続するときに穿刺針２９が回転するのを防止することができる。その結果、回転固定式チューブ４５の接続性を向上させることができる。
＜第２の実施形態＞
（接続ノズル、スパウトおよび薬剤容器の構成）
図５は、本発明の第２の実施形態に係る接続ノズルを備える薬剤容器の要部を示す（ａ）斜視図（ｂ）断面図（図５（ａ）のｂ−ｂで示される切断線で切断したときの断面図）である。図５において、図１に示す各部に対応する部分には、それらの各部と同一の参照符号を付している。
【００５６】
第２の実施形態の薬剤容器５１は、パウチ２内の薬剤を注出するためのスパウト５２を備えている。
スパウト５２は、パウチ２に取り付けられてパウチ２の注出口となるベース部材５３と、ベース部材５３からの薬剤の流出を遮断してパウチ２を封止するための封止部材５と、ベース部材５３に連通していて、チューブが接続される（チューブが外嵌めされる）接続ノズル５４と、接続ノズル５４を保護するためのカバー５５とを備えている。
【００５７】
ベース部材５３は、ベース部材４と同様に、たとえば、ポリプロピレン、ポリエチレンなどのプラスチックからなり、パウチ２に固定されるひし形筒状の固定部８と、固定部８の軸方向一端を閉塞する上壁９およびその上壁９から固定部８の周方向外側へ張り出す第１フランジ１０を一体的に有するフランジ部１１と、フランジ部１１から突出し、接続ノズル５４を支持するための１対の支持部５６とを一体的に備えている。
【００５８】
ベース部材５３において、パウチ２に固定される他端側の固定部８の内部１３と、フランジ部１１の中心部に形成された開口１５とは、接続ノズル５４を支持する支持部５６の配置される一端側と他端側（固定部８側）とを連通させる第３連通孔５７をなしている。
各支持部５６は、フランジ部１１の長対角線方向において、各カバーストッパ１９の内側に隣接する位置に、それぞれ２枚の板（内側板５８および外側板５９）が向かい合って立設されることにより形成されている。内側板５８および外側板５９により、支持部５６には、これらに挟まれる部分に隙間６０が形成されている。
【００５９】
内側板５８は、外側板５９に対向する平坦な内面を有しており、その内面の基端部および遊端部には、外側板５９へ向けて半円柱状に盛り上がる１対のリブがそれぞれ形成されている。各リブは、パウチ２の封止状態において、後述する摺動部材７３の第２嵌合溝７６が嵌合される第１リブ６１と、パウチ２の開封状態において、後述する摺動部材７３の第２嵌合溝７６が嵌合される第２リブ６２とに区別される。
【００６０】
外側板５９は、内側板５８の基端部および基端部から遊端部までに対向する平坦な面と、内側板５８の遊端部に対向し、平坦な面よりもやや内側板５８側に盛り上がる盛り上がり面とが連続してなる内面を有している。外側板５９の内面の盛り上がり面には、内側板５８の第１リブ６１に対向する部分が半円柱状に掘り下がる第１嵌合溝６３が形成されている。
【００６１】
接続ノズル５４は、チューブの内腔に挿入される筒状のノズル６４と、封止部材５の閉塞板２７に突き刺される穿刺針６５とを備えている。
ノズル６４は、軸方向他端から一端に向かって、一定の外径を有する円筒部６６と、外径の窄まるテーパ部６７とを一体的に備え、これらを貫通するノズル貫通孔６８を有している。
【００６２】
テーパ部６７には、その周壁が径方向外側へ外周全周にわたって帯状に膨らむ膨出部６９が形成されている。
膨出部６９は、テーパ部６７の一端からテーパ部６７の軸方向中央までの一端側において、その外周面が弧状に膨らむように形成されている。弧状の膨出部６９の膨出度合および膨出厚は、好ましくは、図１に示す膨出部３３と同様である。
【００６３】
また、膨出部６９には、その中央部からテーパ部３１の軸方向一端および他端にかけて切れ込まれ、一端および他端にかけてその幅が狭まるアーモンド状の複数（６つ）の切込部７０が形成されている。
各切込部７０の最大幅（中央部の幅）Ｗ３は、必要に応じて適切な値に定められる。また、各切込部７０は、膨出部６９の全周にわたって均等な間隔を空けて配置されている。
【００６４】
隣接する切込部７０の中央部間の幅Ｗ４（つまり、隣接する切込部７０の間の膨出部６９の幅）は、必要に応じて適切な値に定められる。
穿刺針６５は、ベース部材４の開口１５の径とほぼ同じ外径を有し、軸方向他端部が尖る中空の尖鋭円筒状に形成されている。また、穿刺針６５は、ノズル６４のノズル貫通孔６８に連通し、ノズル貫通孔６８の径よりも小さい径の第４連通孔７１（中空部分）を有している。
【００６５】
また、接続ノズル５４には、ノズル６４と穿刺針６５との接続部（ノズル６４の他端）に、ノズル６４の径方向外側へ張り出す第３フランジ７２と、第３フランジ７２からノズル６４の軸方向他端側へ延びる摺動部材７３とが形成されている。
第３フランジ７２は、ノズル６４の外周（円筒部６６の外周）よりも大きい外周を有する相似形の円形板状に形成されている。また、第３フランジ７２には、その周方向外側に突出する係合爪７４が形成されている。
【００６６】
係合爪７４は、図１に示す係合爪４０と同様に、回転固定式チューブ４５を係合するためのものであって、第３フランジ７２の径方向に対向して１対設けられており、各係合爪７４は、たとえば、長方形状に形成されている。
摺動部材７３は、係合爪７４とほぼ同じ幅を有し、係合爪７４の遊端部から第３フランジ７２の径方向外側へ広がる段差を有するクランク板状に形成されている。
【００６７】
摺動部材７３の先端部には、第３フランジ７２の径方向外側の面に、支持部５６の外側板５９の第１嵌合溝６３に嵌合可能な嵌合リブ７５が形成されている。一方、径方向内側の面には、支持部５６の内側板５８の第１リブ６１および第２リブ６２に嵌合可能な第２嵌合溝７６が形成されている。
カバー５５は、カバー７と同様に、たとえば、透明のプラスチックからなり、一端が閉塞され、軸方向中央部から一端側へ向かって径の窄まるテーパ筒状に形成されている。カバー５５の他端には、径方向外側へ張り出す１対の係合爪７７が形成されている。そして、カバー５５は、その他端を第１フランジ１０に当接させた状態で時計回りに回転されることにより、係合爪７７がカバーストッパ１９で係止されて、ベース部材５３に固定される。
【００６８】
そして、スパウト５２を組立てるには、たとえば、まず、ベース部材５３の固定部８の内部１３に封止部材５が嵌め込まれることにより、ベース部材５３の第３連通孔５７が、封止部材５の閉塞板２７により閉塞される。
次に、支持部５６の隙間６０に摺動部材７３が挿し込まれ、摺動部材７３の嵌合リブ７５および第２嵌合溝７６が、第１嵌合溝６３および第１リブ６１にそれぞれ嵌合される。これにより、接続ノズル５４は、摺動部材７３が第３連通孔５７の他端側へ隙間６０に沿って摺動自在に保持された状態で、支持部５６に支持されてベース部材５３に接続される。なお、嵌合リブ７５および第２嵌合溝７６が、第１嵌合溝６３および第１リブ６１にそれぞれ嵌合された状態においては、穿刺針６５の尖端が閉塞板２７よりもベース部材５３の一端側に位置しているため、閉塞板２７による貫通孔２６の閉塞が保持されている。
【００６９】
そして、上記のように組み立てられるスパウト５２は、図１に示すスパウト３と同様に、パウチ２の作製時に、ベース部材５３の固定部８が多層フィルムにより挟まれた状態でヒートシールされることにより、多層フィルムに密着してパウチ２に固定される。
（スパウトの使用方法）
封止されたパウチ２内の薬剤をスパウト５２から注出し、チューブを介して人体に投与するには、まず、図２（ａ）と同様に、接続ノズル５４にチューブが取り付けられる。つまり、膨出部６９がチューブ越しに親指および人差し指で径方向内側に押圧されて縮径されながら、チューブがノズル６４の他端側へ嵌め込まれる。
【００７０】
嵌め込み後、親指および人差し指が、チューブから離される。これにより、膨出部６９が径方向外側へ復元し、その復元力（径方向外側へ生じる力）によりチューブの内壁が押圧されて、チューブが接続ノズル５４に接続される。
次いで、たとえば、パウチ２が高い位置に吊るされる。そして、その状態から、接続ノズル５４がベース部材５３側に押し込まれる。これにより、第１嵌合溝６３および第１リブ６１に対する嵌合リブ７５および第２嵌合溝７６の嵌合が解除される。そして、嵌合リブ７５が外側板５９の平坦な面をスライドすることにより、摺動部材７３が隙間６０内を摺動するとともに穿刺針６５が連通孔５７内を摺動する。
【００７１】
そして、第２嵌合溝７６が第２リブ６２に嵌合したときに、接続ノズル５４に対する押し込みが止められる。これにより、封止部材５の閉塞板２７が穿刺針６５の尖端により刺通されて、パウチ２内と穿刺針６５の第４連通孔７１とが連通する。
したがって、パウチ２内の薬剤が、その自重により、第４連通孔７１およびそれに連通するノズル貫通孔６８を通ってチューブに注出される。
（作用効果）
この第２の実施形態によれば、ノズル６４に膨出部６９が形成され、その膨出部６９に複数の切込部７０が形成されているので、膨出部６９は、その径方向内側へ加えられる外力により自在に縮径される。
【００７２】
そのため、膨出部６９を径方向内側に押圧して縮径させながらチューブをノズル６４に嵌め込み、嵌め込み後、膨出部６９を径方向外側へ復元させることにより、その復元力（径方向外側へ生じる力）によりチューブの内壁を押圧することができる。つまり、膨出部６９の復元力により、チューブの抜ける方向（ノズル６４の軸方向）に対してほぼ直交する方向に力を与えることができる。
【００７３】
したがって、ノズル６４の外径をチューブの内径に応じて適当な大きさに設計することにより、別途道具を用いることなく、また、チューブの種類（たとえば、変形しにくい硬いチューブなど）に選らず、チューブ抜けを抑制することができる。
また、膨出部６９に切込部７０が形成されているので、たとえば、パウチ２に経腸栄養剤などが収容されている場合に、誤って輸液用穿刺針がノズル貫通孔６８に刺されても（挿入されても）、ノズル貫通孔６８を通る経腸栄養剤を切込部７０から漏れ出させることができる。その結果、薬剤容器５１の取扱者に、薬剤の誤使用を気づかせることができる。
【００７４】
その他、図１に示す各部に対応する部分が奏する作用効果については、第１の実施形態と同様の作用効果を達成することができる。
＜第３の実施形態＞
（接続ノズルの構成）
図６は、本発明の第３の実施形態に係る接続ノズルの要部を示す（ａ）斜視図（ｂ）断面図（図６（ａ）のｂ−ｂで示される切断線で切断したときの断面図）である。図６において、図１に示す各部に対応する部分には、それらの各部と同一の参照符号を付している。
【００７５】
第３の実施形態の接続ノズル８１は、チューブの内腔に挿入される筒状のノズル８２を備えている。
ノズル８２は、軸方向他端から一端に向かって、一定の外径を有する円筒部８３と、外径の窄まるテーパ部８４とを一体的に備え、これらを貫通するノズル貫通孔８５を有している。
【００７６】
テーパ部８４には、その周壁の半分が径方向外側へコブ状に膨らむ膨出部８６が形成されている。
膨出部８６は、テーパ部８４の一端からテーパ部８４の軸方向中央までの一端側において、その外周面が弧状に膨らむように形成されている。弧状の膨出部８６の膨出度合および膨出厚は、好ましくは、図１に示す膨出部３３と同様である。
【００７７】
また、膨出部８６には、テーパ部８４の一端から膨出部８６の軸方向他端まで切れ込まれた長方形状の複数（３つ）の切込部８７が形成されている。
各切込部８７の幅Ｗ５は、好ましくは、図１に示す切込部３６の幅Ｗ２と同様である。また、各切込部８７は、膨出部８６の全周にわたって均等な間隔を空けて配置されている。
【００７８】
そして、膨出部８６は、切込部８７が均等な間隔を空けて配置されることにより、複数の部分に分割され、その各部分の幅Ｗ６（つまり、隣接する切込部８７間の間隔）は、好ましくは、図１に示す幅Ｗ１と同様である。
（作用効果）
この第３の実施形態によれば、ノズル８２に膨出部８６が形成され、その膨出部８６に複数の切込部８７が形成されているので、膨出部８６は、その径方向内側へ加えられる外力により自在に縮径される。
【００７９】
そのため、膨出部８６を径方向内側に押圧して縮径させながらチューブをノズル８２に嵌め込み、嵌め込み後、膨出部８６を径方向外側へ復元させることにより、その復元力（径方向外側へ生じる力）によりチューブの内壁を押圧することができる。つまり、膨出部８６の復元力により、チューブの抜ける方向（ノズル８２の軸方向）に対してほぼ直交する方向に力を与えることができる。
【００８０】
したがって、ノズル８２の外径をチューブの内径に応じて適当な大きさに設計することにより、別途道具を用いることなく、また、チューブの種類（たとえば、変形しにくい硬いチューブなど）に選らず、チューブ抜けを抑制することができる。
また、膨出部８６に切込部８７が形成されているので、たとえば、パウチに経腸栄養剤などが収容されている場合に、誤って輸液用穿刺針がノズル貫通孔８５に刺されても（挿入されても）、ノズル貫通孔８５を通る経腸栄養剤を切込部８７から漏れ出させることができる。その結果、薬剤容器の取扱者に、薬剤の誤使用を気づかせることができる。
【００８１】
その他、図１に示す各部に対応する部分が奏する作用効果については、第１の実施形態と同様の作用効果を達成することができる。
以上、本発明の複数の実施形態について説明したが、本発明はさらに他の形態で実施することもできる。
たとえば、接続ノズル６は、図７に示す薬剤容器５０のように、パウチ２に直接固定されていてもよい。具体的には、接続ノズル６の穿刺針２９に代えて円筒状の固定筒８８を設け、その固定筒８８を多層フィルムにより挟んだ状態でヒートシールすることにより、接続ノズル６を多層フィルムに密着させてパウチ２に固定してもよい。
【００８２】
また、封止部材５によりその内部の第１連通孔１６が閉塞されるベース部材４に代えて、図８に示す薬剤容器８０のように、キャップによりその内部の連通孔が閉塞されるキャップ式のベース部材８９を適用してもよい。具体的には、上壁９から突出し、接続ノズル６を支持するための筒状の支持部９０を有するベース部材８９を適用することができる。
そして、ベース部材８９の支持部９０には、支持部９０の周壁を軸方向に切断する１対の直線溝９１が形成されている。直線溝９１には、軸方向中央部において、その径が直線溝９１の幅よりもやや大きい径を有する円形の第３嵌合孔９２が形成されている。
【００８３】
そして、パウチ２を封止したいときには、支持部９０に突起を有するキャップ（図示せず）を挿入し、当該突起を第３嵌合孔９２に嵌合させればよい。一方、パウチ２を開封したいときには、キャップを取り外し、支持部９０に接続ノズル６の穿刺針２９を挿入し、突起３８を第３嵌合孔９２に嵌合させればよい。
なお、図７および図８において、図１に示す各部に対応する部分には、それらの各部と同一の参照符号を付している。
【００８４】
その他、特許請求の範囲に記載された事項の範囲で種々の設計変更を施すことが可能である。
【図面の簡単な説明】
【００８５】
【図１】本発明の第１の実施形態に係る接続ノズルを備える薬剤容器の要部を示す（ａ）斜視図（ｂ）断面図である。
【図２】図１に示すスパウトの使用方法を説明するための図である。
【図３】図１に示す接続ノズルに輸液用穿刺針を刺したときの状態を示す図である
【図４】図１に示す接続ノズルに回転固定式チューブの取付方法を説明するための図である。
【図５】本発明の第２の実施形態に係る接続ノズルを備える薬剤容器の要部を示す（ａ）斜視図（ｂ）断面図である。
【図６】本発明の第３の実施形態に係る接続ノズルの要部を示す（ａ）斜視図（ｂ）断面図である。
【図７】図１に示す薬剤容器の第１の変形例を示す斜視図である。
【図８】図１に示す薬剤容器の第２の変形例を示す斜視図である。
【符号の説明】
【００８６】
１    薬剤容器
２    パウチ（容器本体）
３    スパウト
４    ベース部材
５    封止部材
６    接続ノズル
８    固定部（ベース部材の他端側）
１２  支持部
１６  第１連通孔（ベース部材の連通孔）
２３  直線溝
２４  第１嵌合孔
２７  閉塞板
２８  ノズル
２９  穿刺針
３２  ノズル貫通孔
３３  膨出部
３６  切込部
３７  第２連通孔（穿刺針の中空部分）
３８  突起
４０  係合爪（係合部材）
４１  チューブ
４５  回転固定式チューブ
５０  薬剤容器
５１  薬剤容器
５２  スパウト
５３  ベース部材
５４  接続ノズル
５６  支持部
５７  第３連通孔（ベース部材の連通孔）
６４  ノズル
６５  穿刺針
６８  ノズル貫通孔
６９  膨出部
７０  切込部
７１  第４連通孔（穿刺針の中空部分）
８０  薬剤容器
８１  接続ノズル
８２  ノズル
８５  ノズル貫通孔
８６  膨出部
８７  切込部
【図１】
2010046190.tif 000003
【図２】
2010046190.tif 000004
【図３】
2010046190.tif 000005
【図４】
2010046190.tif 000006
【図５】
2010046190.tif 000007
【図６】
2010046190.tif 000008
【図７】
2010046190.tif 000009
【図８】
2010046190.tif 000010